(57)【要約】【課題】内容物を自重で吐出させることができ、しかも内容物の残量が少なくなっても最後まで吐出させることができる上、コストを抑制できる二重容器を提案する。【解決手段】本発明の二重容器は、容器の外殻を形成する外層体１０と、外層体１０の内側に収められる減容変形自在な内層体２０とを備え、外層体１０の底壁１１に内外に通じる直線状のスリット１４を備える二重容器において、外層体１０の側壁１２は、スリット１４に沿う延長線Ｌとの交差域に、外層体１０への押圧にて内容物を吐出させる押圧部１７を備えることを特徴とする。【選択図】図１
2014196121.tif 000002
【特許請求の範囲】
【請求項１】
容器の外殻を形成する外層体と、該外層体の内側に収められる減容変形自在な内層体とを備え、該外層体の底壁に該底壁を貫通する直線状のスリットを備える二重容器において、
前記外層体の側壁は、前記スリットに沿う延長線との交差域に、該外層体への押圧にて内容物を吐出させる押圧部を備える二重容器。
【請求項２】
前記押圧部は、前記側壁から外側に向かって凸となるリブ又は内側に向かって凹となる溝を有する請求項１に記載の二重容器。
【請求項３】
前記底壁の中央域に前記スリットを備えるとともに、該スリットの両端部外側に前記延長線に沿って延在する補強リブを備える請求項１又は２に記載の二重容器。
【発明の詳細な説明】
【技術分野】
【０００１】
本発明は、容器の外殻を形成する外層体と、該外層体の内側に収められる減容変形自在な内層体とを備え、内容物の注出に伴って内層体のみを減容させる二重容器に関するものである。
【背景技術】
【０００２】
化粧水などの化粧料や、シャンプーやリンスあるいは液体石鹸、また食品調味料などを収納する容器としては、容器の外殻を形成する外層体と、該外層体の内側に収められる減容変形自在な内層体とを備え、外層体に、内層体との相互間に通じる外気導入用の開口を設けて、内容物の注出に伴って内層体のみを減容させるようにした二重容器（デラミ容器とも言う）が知られている。
【０００３】
また、内容物の吐出方式としては、外層体の口部に装着したポンプによるものや、外層体の胴部をスクイズすることによるもの、更に、主に内容物の自重によるもの（例えば特許文献１参照）等がある。ポンプを利用する容器では、構造が複雑になる上、コストの増大が避けられず、また、外層体のスクイズを利用する容器では、構造が比較的簡素化されるものの、内層体のみを減容させる為には、外層体への押圧時には外気導入用の開口を閉じ、押圧を解除すると開く外気導入弁を設ける必要がある。一方、内容物の自重を利用する容器では、構造も簡単である上、外気導入弁も不要であることから、コスト削減にも優れている。
【先行技術文献】
【特許文献】
【０００４】
【特許文献１】特開２００８−２０７８６０号公報
【発明の概要】
【発明が解決しようとする課題】
【０００５】
ところで、二重容器の内層体は、全体が均等に減容するよう種々の工夫がなされているが、それ自身の厚みのばらつき等に起因して、優先的に潰れ易くなる部分が生じることがある。これにより、内容物の吐出が進んでいくと内層体の内面同士が部分的に接触して、内容物の通路が狭くなってしまうおそれがある。このような場合でも、ポンプによるものや外気導入弁を備えるものでは、内容物を最後まで吐出することができるものの、外気導入弁を持たずに内容物を自重で吐出するものでは、外層体をスクイズしても、外層体と内層体との相互間の空気が外気導入用の開口から漏れてしまい内層体を十分に減容させることができないため、内容物の吐出が難しくなるという不具合があった。このため、この点を改良した新たな二重容器が望まれていた。
【０００６】
本発明は、このような従来の問題点を解決することを課題とするものであり、その目的は、内容物を主にその自重で吐出させることができ、しかも内容物の残量が少なくなっても最後までスムーズに吐出させることができるとともに、コストの増大を招くことがない新規の二重容器を提案するところにある。
【課題を解決するための手段】
【０００７】
本発明は、容器の外殻を形成する外層体と、該外層体の内側に収められる減容変形自在な内層体とを備え、該外層体の底壁に該底壁を貫通する直線状のスリットを備える二重容器において、
前記外層体の側壁は、前記スリットに沿う延長線との交差域に、該外層体への押圧にて内容物を吐出させる押圧部を備える二重容器である。
【０００８】
前記押圧部は、前記側壁から外側に向かって凸となるリブ又は内側に向かって凹となる溝を有することが好ましい。
【０００９】
前記底壁の中央域に前記スリットを備えるとともに、該スリットの両端部外側に前記延長線に沿って延在する補強リブを備えることが好ましい。
【発明の効果】
【００１０】
本発明では、減容変形自在な内層体と、この内層体を内側に収めるとともに底壁に直線状のスリットを備える外層体とを備える二重容器に対し、外層体の側壁の、スリットに沿う延長線との交差域に押圧部を設けている。そして押圧部を押すと、外層体の側壁は内側へ凹む一方、外層体の底壁の、スリットに沿う延長線上においては、外側へ引っ張られる力が作用することになるので、スリットを狭めることができる。これにより、外層体を押圧しても、外層体と内層体との間の空気の漏れ出しが少なくなって内層体の減容変形が行いやすくなるので、内容物を最後までスムーズに吐出することが可能となる。また、スリットを解放、閉鎖する外気導入弁を設ける必要がないので、コストの増大を招くこともない。
【００１１】
押圧部に、側壁から外側に向かって凸となるリブ又は内側に向かって凹となる溝を設ける場合は、リブ又は溝を指掛かりとして機能させることができるので、外層体を押圧する際に指の滑りを防止することができる。また、リブ又は溝を設けることで押圧部を目立たせて、使用者に押圧する部位であることを認識させることができるので、所期した通りに内層体を減容させることができる。
【００１２】
外層体を押圧する回数が増えてスリットが繰り返し変形を受けると、スリットの両端部から亀裂が進展する懸念があるが、底壁の中央域にスリットを設けるとともに、スリットの両端部外側にスリットの延長線に沿って延在する補強リブを設ける場合は、補強リブにてスリットの両端部の強度を高めることができるので、亀裂の進展を有効に防止することができる。
【図面の簡単な説明】
【００１３】
【図１】本発明に従う二重容器の一実施形態を、図３の矢印Ａに沿って示す側面図及び部分断面図である。
【図２】図１に示す二重容器に関し、図３の矢印Ｂに沿って示す側面図及び部分断面図である。
【図３】図１に示す二重容器に関する下面図である。
【発明を実施するための形態】
【００１４】
以下、図面を参照して、本発明をより具体的に説明する。
図１は、本発明に従う二重容器の一実施形態を、図３の矢印Ａに沿って示す側面図及び部分断面図であって、図２は、図１に示す二重容器に関し、図３の矢印Ｂに沿って示す側面図及び部分断面図であって、図３は、図１に示す二重容器に関する下面図である。
【００１５】
図１において、符号１は、本発明の二重容器の一実施形態を示す。二重容器１は、容器の外殻を形成する外層体１０と、外層体１０の内側に収められる内層体２０とを備えていて、その上部に中栓３０、注出栓４０、及び蓋体５０とを備えている。本実施形態における二重容器１は、合成樹脂製の外層体１０と、外層体１０に対して相溶性が低い合成樹脂にて形成される内層体２０とを積層させたものであり、これらの合成樹脂を積層して形成したパリソンを、ブロー成形することによって得られたものである。
【００１６】
外層体１０は、復元自在な可撓性を有するものであり、図１、図３に示すように、円板状をなし外層体１０の底部を形成する底壁１１と、底壁１１の縁部に連結するとともに上方へ向けて縮径して外層体１０の胴部を形成する側壁１２と、側壁１２の上部に連結するともに円筒状をなし外層体１０の口部を形成する口部壁１３とを備えている。口部壁１３の外周面には、ねじ部１３ａを設けている。
【００１７】
また、図３に示すように底壁１１の中央域には、外層体１０の内外を貫き、直線状に延在するスリット１４を設けている。更に、スリット１４の端部１４ａの両外側には、スリット１４に沿う延長線Ｌ上に延在する突条形状の補強リブ１５を設けている。本実施形態にでは、ブロー成形の割り金型にてパリソンの底部中央域を食い切ることでスリット１４を形成するとともに、パリソンの底部中央域の両外側を割り金型にて挟み込み、外層体１０と内層体２０とを扁平に押し潰したピンチオフ部にて補強リブ１５を形成している（以下、補強リブ１５をピンチオフ部１５ともいう）。スリット１４は、外層体１０と内層体２０との相互間に外気を導入するものであるが、スリット１４の長さが短すぎると、スリット１４の開口長さが不足して外気を十分に導入することができず、一方、スリット１４の長さが長すぎると、後述するようにスリット１４を十分に狭めることができない。このため、二律背反するこれらの機能をどちらも満足させるべく、スリット１４は、外層体１０の剛性等に応じて適宜最適長さに設定される。また、ピンチオフ部１５には、一方の側面を他方の側面に向けて食い込ませることでピンチオフ部１５の底割れ強度を高める複数の食い込み部１６を設けている。
【００１８】
更に、側壁１２には、スリット１４に沿う延長線Ｌとの交差域、換言すると、割り金型によって形成される側壁１２のパーティングライン上に、外層体１０を押圧するための押圧部１７を備えている。また押圧部１７は、外層体１０への押圧を行いやすくするために、外層体１０の中心軸を挟んで対向配置で一対設けられている。更に押圧部１７には、図２に示すように側壁１２から外側に向かって凸となるリブ１７ａを設けていて、これにより、外層体１０を押圧する際の指の滑りが有効に防止できる。なお、図示は省略するが、リブ１７ａとともに、又はリブ１７ａの代わりに、側壁１２の内側に向かって凹となる溝を設けてもよい。
【００１９】
内層体２０は、その内側に内容物を充填可能とする充填空間Ｍを有するものであり、積層された外層体１０から剥離させることで減容変形させることができる。ここで、内層体２０の底部はピンチオフ部１５にて保持されるので、内容物の吐出が進んでも、内層体２０の底部が外層体１０の口部壁１３側に移動して充填空間Ｍの一部を閉塞してしまうことはない。なお、図示は省略するが、充填空間Ｍの部分的な閉塞をできるだけ避けるべく、外層体１０と内層体２０との間には、底壁１１から口部壁１３に向けて縦方向に延在し、外層体１０と内層体２０とを部分的に接合する少なくとも１本の接着帯を設けてもよい。
【００２０】
中栓３０は、図１に示すようにその中央部に起立する円筒壁３１を取り囲んでこの円筒壁３１の下部とフランジを介して連結する環状壁３２を備えている。また環状壁３２の上端縁部には、径方向外側に向けて延在し、口部壁１３の上端と当接するフランジ部３３を設けている。円筒壁３１の下部には、下方に向けて縮径する傾斜壁３４を設けている。また円筒壁３１の内周面には、周方向に間隔をあけて設けられる複数の縦リブ３５を設けている。
【００２１】
更に、縦リブ３５の径方向内側には、球状体３６を配置している。ここで、球状体３６は、縦リブ３５に沿って自重にて移動するものであり、図１に示すように二重容器１が起立姿勢にある時は、傾斜壁３４と全周に亘って当接して内層体２０の充填空間Ｍを閉鎖している。なお、縦リブ３５の上端は径方向内側に向けて僅かに膨出していて、球状体３６の抜け止めを形成している。
【００２２】
注出栓４０は、円筒壁３１に通じる注出筒４１を備えていて、注出筒４１は、径方向外側に向けて延在し、フランジ部３３上に位置する天壁４２に連結している。また、天壁４２の縁部には、口部壁１３を取り囲む外周壁４３を連結している。外周壁４３の内周面には、口部壁１３のねじ部１３ａに対応するねじ部４３ａを設けている。これにより注出栓４０は、中栓３０を間に挟んで口部壁１３にねじ止めされる。
【００２３】
蓋体５０は、注出栓４０の上方を覆う頂壁５１の縁部に周壁５２を連結するとともに、図２に示すように、周壁５２と外周壁４３との間に設けたヒンジ５３にて連結するものである。なお、ヒンジ５３を設けずに、注出栓４０と蓋体５０とをねじ止めするようにしてもよい。頂壁５１の下面には、注出筒４１と液密に当接するシール筒５４を設けている。また、シール筒５４の径方向内側には、下方に向けて延びるピン５５を設けている。ピン５５は、球状体３６が上方へ変位する際、上限に至る手前で球状体３６に当接するように設けられている。これにより、輸送等によって球状体３６が勢いよく上方に移動しても、縦リブ３５に設けた抜け止めを越えて外れてしまうことがない。
【００２４】
上記のように構成される二重容器１から内容物を注出するに当たっては、蓋体５０を開いて二重容器１を傾倒或いは倒立姿勢にすることで、球状体３６は注出筒４１側に変位し、充填空間Ｍ内の内容物は自重にて傾斜壁３４の開口から縦リブ３５の相互間を通り抜け、注出筒４１より吐出される。この際、外層体１０と内層体２０との相互間にはスリット１４を通して外気が導入されるので、外層体１０はその形状を保ったまま、内層体２０のみが減容する。
【００２５】
内容物の吐出が進んで残量が減ってくると、内容物全体の重量が少なくなることから、二重容器１を傾けるだけでは内容物が吐出されにくくなる。ここで、図１に示すように押圧部１７を内側に押し込むと、側壁１２は破線で示すように内側に凹む一方、底壁１１には、図１及び図３に塗りつぶした矢印で示すように、押圧部１７が位置するスリット１４の延長線Ｌに沿う向きに、径方向外側へ向かって引っ張りの力が作用することになる。これにより、スリット１４を狭めることができるので、外層体１０と内層体２０との相互間の空気がスリット１４から漏れ出す量は少なくなり、内層体２０は十分に押圧されることになるので、自重では吐出されにくくなった内容物も最後まで吐出させることができる。なお、押圧を解除すれば、スリットに作用していた引っ張りの力も解除されるので、外層体１０と内層体２０との相互間には外気が十分に導入される。
【００２６】
なお、本実施形態において、外層体１０及び内層体２０は積層したパリソンをブロー成形することによって得られるものとして説明したが、これに限られるものではなく、例えば予め形成した内層体を外層体に収納する形態のものであってもよい。またスリットは、外層体に対し後加工にて設けるようにしてもよい。更に補強リブは、外層体と内層体とを扁平に押し潰したピンチオフ部によらずに外層体のみで形成してもよい。
【産業上の利用可能性】
【００２７】
本発明によれば、内容物を主に自重で吐出させることができ、また内容物の残量が少なくなっても外層体を押圧することで内容物を最後までスムーズに吐出させることができる上、通常のスクイズ容器で必要となる外気導入弁も必要が無いのでコストを十分に抑制することができる新規の二重容器を提供することができる。
【符号の説明】
【００２８】
１  二重容器
１０  外層体
１１  底壁
１２  側壁
１３  口部壁
１３ａ  ねじ部
１４  スリット
１４ａ  スリットの端部
１５  補強リブ（ピンチオフ部）
１６  食い込み部
１７  押圧部
１７ａ  リブ
２０  内層体
３０  中栓
３１  円筒壁
３２  環状壁
３３  フランジ部
３４  傾斜壁
３５  縦リブ
３６  球状体
４０  注出栓
４１  注出筒
４２  天壁
４３  外周壁
４３ａ  ねじ部
５０  蓋体
５１  頂壁
５２  周壁
５３  ヒンジ
５４  シール筒
５５  ピン
Ｌ    スリットに沿う延長線
Ｍ    充填空間
【図１】
2014196121.tif 000003
【図２】
2014196121.tif 000004
【図３】
2014196121.tif 000005